(57)【特許請求の範囲】
【請求項１】
光学的な変倍を行う光学ズーム手段、及び電子的な変倍を行う電子ズーム手段とを有する撮像装置であって、
該撮像装置の温度を検出する温度検出手段と、
前記光学ズーム手段の動作に伴って前記電子ズーム手段を動作させ、かつ前記温度検出手段により検出された温度に応じて前記光学ズーム手段における制御上のテレ端をワイド側に移動させる制御手段とを有し、
前記制御手段は、前記光学ズーム手段によるテレ端をワイド側に移動させる制御に伴い、第１のズーム領域における前記電子ズーム手段のズーム倍率の変化率よりも該第１のズーム領域に隣接するテレ端側の第２のズーム領域における前記電子ズーム手段のズーム倍率の変化率を小さくすることを特徴とする撮像装置。
【請求項２】
前記制御手段は、前記ズーム倍率の変化率を、テレ端に近いほど減少させることを特徴とする請求項１に記載の撮像装置。
【請求項３】
光学的な変倍を行う光学ズーム手段、及び電子的な変倍を行う電子ズーム手段を有する撮像装置であって、
該撮像装置の温度を検出する温度検出手段と、
第１のズーム領域における前記光学ズーム手段の動作に伴って前記電子ズーム手段を動作させ、かつ前記第１のズーム領域内の第２のズーム領域において前記温度検出手段により検出された温度に応じて前記光学ズーム手段における制御上のテレ端をワイド側に移動させる制御手段とを有し、
前記制御手段は、前記第２のズーム領域での前記光学ズーム手段の動作に伴って動作する第２の温度での前記電子ズーム手段のズーム倍率の変化率を、前記第２の温度より低い第１の温度での前記電子ズーム手段のズーム倍率の変化率よりも小さくすることを特徴とする撮像装置。
【請求項４】
光学的な変倍を行う光学ズーム手段、及び電子的な変倍を行う電子ズーム手段とを有する撮像装置の制御方法であって、
該撮像装置の温度を検出する第１のステップと、
前記光学ズーム手段の動作に伴って前記電子ズーム手段を動作させ、かつ前記温度検出手段により検出された温度に応じて前記光学ズーム手段における制御上のテレ端をワイド側に移動させる第２のステップとを有し、
前記第２のステップにおいて、前記光学ズーム手段によるテレ端をワイド側に移動させる制御に伴い、第１のズーム領域における前記電子ズーム手段のズーム倍率の変化率よりも該第１のズーム領域に隣接するテレ端側の第２のズーム領域における前記電子ズーム手段のズーム倍率の変化率を小さくすることを特徴とする撮像装置の制御方法。
【請求項５】
光学的な変倍を行う光学ズーム手段、及び電子的な変倍を行う電子ズーム手段を有する撮像装置の制御方法であって、
該撮像装置の温度を検出する第１のステップと、
第１のズーム領域における前記光学ズーム手段の動作に伴って前記電子ズーム手段を動作させ、かつ前記第１のズーム領域内の第２のズーム領域において前記温度検出手段により検出された温度に応じて前記光学ズーム手段における制御上のテレ端をワイド側に移動させる第２のステップとを有し、
前記第２のステップにおいて、前記第２のズーム領域での前記光学ズーム手段の動作に伴って動作する第２の温度での前記電子ズーム手段のズーム倍率の変化率を、前記第２の温度より低い第１の温度での前記電子ズーム手段のズーム倍率の変化率よりも小さくすることを特徴とする撮像装置の制御方法。
【発明の詳細な説明】
【技術分野】
【０００１】
本発明は、ビデオカメラ、デジタルスチルカメラ等の撮像装置に関し、特に、光学ズーム動作に伴って電子ズーム動作を行う機能を有する撮像装置に関する。
【背景技術】
【０００２】
ビデオカメラ等の撮像装置には、光学系内の変倍レンズを移動させて変倍を行う光学ズーム機能と光学系により形成された被写体像を光電変換して生成された画像（原画像）を用いて電子的な変倍を行う電子ズーム（デジタルズーム）機能とを備えたものがある。これら光学ズーム機能と電子ズーム機能とを組み合わせて使用することで、きわめて高いズーム倍率が得られる。
【０００３】
さらに、このような撮像装置には、光学ズーム倍率の変化に伴って（連動して）電子ズーム倍率を変化させるズーム機能（ここでは、光学／電子合成ズーム機能という）を有するものがある（特許文献１参照）。
【０００４】
図６は、従来の光学／電子合成ズーム機能における光学ズーム倍率の変化に対する、原画像から切り出す画素ライン数としてのメモリ切り出しライン数の変化を示している。実線は、電子ズーム倍率に対応するメモリ切り出しライン数を示す。メモリ切り出しライン数が多くなるほど、電子ズーム倍率が高くなる。また、点線は光学ズーム倍率を示す。
【０００５】
倍率Ａ（ワイド端）から倍率Ｂまでの間のワイド側のズーム領域では、メモリ切り出しライン数（つまりは電子ズーム倍率）を一定値に固定して光学ズーム動作のみを行わせる。一方、倍率Ｂから倍率Ｃ（テレ端）までの間のテレ側のズーム領域では、光学ズーム動作に伴って（連動して）電子ズーム動作を行わせる。具体的には、倍率Ｂから倍率Ｃに向けてリニアに電子ズーム倍率を増加させることにより、光学ズームのみを用いる場合に比べて高い拡大率の画像を得ることが可能となる。
【０００６】
さらに、テレ側のズーム領域では、テレ端に近づくほど光学ズーム倍率の変化率が減少するように光学ズーム動作を行わせる。これは、光学ズーム動作に伴う像面変動を補正するためのフォーカスレンズの移動をズーム動作に追従させる（間に合わせる）ように制御可能とするためである。
【特許文献１】特開２００２−３１４８６８号公報
【発明の開示】
【発明が解決しようとする課題】
【０００７】
しかしながら、ビデオカメラ（特に、光学系を収容した鏡筒部）の温度が上昇すると、鏡筒部が変形（伸長）して光学系を構成するレンズ位置が変化し、光学系の焦点距離が長くなる場合が生じ得る。この場合、図６に示すように、テレ側のズーム領域で倍率Ｂから倍率Ｃに向けてリニアに電子ズーム倍率を増加させると電子ズーム動作による画角の変化が目立つ問題が生じる。
【０００８】
本発明は、光学／電子合成ズーム機能を有する撮像装置であって、温度上昇が生じた場合でも電子ズーム動作による画角の変化が目立たないようにした撮像装置を提供する。
【課題を解決するための手段】
【０００９】
本発明の一側面としての撮像装置は、光学的な変倍を行う光学ズーム手段と、電子的な変倍を行う電子ズーム手段と、該撮像装置の温度を検出する温度検出手段と、光学ズーム手段の動作に伴って電子ズーム手段を動作させ、かつ温度検出手段により検出された温度に応じて光学ズーム手段における制御上のテレ端をワイド側に移動させる制御手段とを有する。そして、制御手段は、光学ズーム手段によるテレ端をワイド側に移動させる制御に伴い、第１のズーム領域における電子ズーム手段のズーム倍率の変化率よりも該第１のズーム領域に隣接するテレ端側の第２のズーム領域における電子ズーム手段のズーム倍率の変化率を小さくすることを特徴とする。
【００１０】
また、本発明の他の一側面としての撮像装置は、光学的な変倍を行う光学ズーム手段と、及び電子的な変倍を行う電子ズーム手段と、該撮像装置の温度を検出する温度検出手段と、第１のズーム領域における光学ズーム手段の動作に伴って電子ズーム手段を動作させ、かつ第１のズーム領域内の第２のズーム領域において温度検出手段により検出された温度に応じて光学ズーム手段における制御上のテレ端をワイド側に移動させる制御手段とを有する。そして、制御手段は、第２のズーム領域での光学ズーム手段の動作に伴って動作する第２の温度での電子ズーム手段のズーム倍率の変化率を、第２の温度より低い第１の温度での電子ズーム手段のズーム倍率の変化率よりも小さくすることを特徴とする。
【００１１】
さらに、本発明の他の一側面としての撮像装置の制御方法は、光学的な変倍を行う光学ズーム手段及び電子的な変倍を行う電子ズーム手段とを有する撮像装置に適用される。該ズーム制御方法は、該撮像装置の温度を検出する第１のステップと、光学ズーム手段の動作に伴って電子ズーム手段を動作させ、かつ温度検出手段により検出された温度に応じて光学ズーム手段における制御上のテレ端をワイド側に移動させる第２のステップとを有する。そして、第２のステップにおいて、光学ズーム手段によるテレ端をワイド側に移動させる制御に伴い、第１のズーム領域における電子ズーム手段のズーム倍率の変化率よりも該第１のズーム領域に隣接するテレ端側の第２のズーム領域における電子ズーム手段のズーム倍率の変化率を小さくすることを特徴とする。
【００１２】
また、本発明の他の一側面としての撮像装置の制御方法は、光学的な変倍を行う光学ズーム手段及び電子的な変倍を行う電子ズーム手段とを有する撮像装置に適用される。該ズーム制御方法は、該撮像装置の温度を検出する第１のステップと、第１のズーム領域における光学ズーム手段の動作に伴って電子ズーム手段を動作させ、かつ第１のズーム領域内の第２のズーム領域において温度検出手段により検出された温度に応じて光学ズーム手段における制御上のテレ端をワイド側に移動させる第２のステップとを有する。そして、第２のステップにおいて、第２のズーム領域での光学ズーム手段の動作に伴って動作する第２の温度での電子ズーム手段のズーム倍率の変化率を、第２の温度より低い第１の温度での電子ズーム手段のズーム倍率の変化率よりも小さくすることを特徴とする。
【発明の効果】
【００１３】
本発明によれば、温度上昇などに起因してレンズ鏡筒部が変形（伸長）しても、該電子ズーム動作によるズーム倍率の変化を小さくすることができるため、画角の変化が目立つことを回避することができる。
【発明を実施するための最良の形態】
【００１４】
以下、本発明の実施例について図面を参照しながら説明する。
【実施例１】
【００１５】
図１には、本発明の実施例１である撮像装置としてのビデオカメラ１００の構成を示す。同図において、１０１は変倍レンズ１０１ａ、フォーカスレンズ１０１ｂ等の複数のレンズや変倍レンズ１０１ａ及びフォーカスレンズ１０１ｂを移動させて光学的な変倍及び焦点調節を行わせるアクチュエータ１０１ｃ，１０１ｄを含む光学系である。変倍レンズ１０１ａ及びこれを移動させるアクチュエータ１０１ｃによって光学ズーム手段が構成される。以下、変倍レンズ１０１ａの移動によって行われる変倍を光学ズーム（動作）という。また、光学ズームにより得られる光学系１０１のズーム倍率を光学ズーム倍率という。
【００１６】
１０２はビデオカメラ１００の温度、より具体的には、光学系１０１を収容するレンズ鏡筒部１２０の温度を検出するための温度センサ（温度検出手段）である。
【００１７】
光学系１０１を通過した被写体からの光は、絞り１０３によってその光量が調節され、ＣＣＤセンサやＣＭＯＳセンサ等の撮像素子１０４の撮像面上に被写体像を形成する。被写体像は、撮像素子１０４の光電変換作用によって電気信号に変換される。光電変換された信号は、基準クロック信号に基づいて撮像素子１０４から読み出され、カメラプリプロセス回路１０５でサンプル／ホールドされるとともに、システムコントローラ１０８によって適切なゲインを持つようにコントロールされた後、Ａ／Ｄ変換される。
【００１８】
カメラ信号処理回路１０６は、デジタル信号に変換された信号に対して様々な処理を行うことにより、画像データ（原画像）としての映像信号を生成する。フレームメモリ１０７は、カメラ信号処理回路１０６で使用するための画像データを一時的に保持するために使用される。
【００１９】
図２には、カメラ信号処理回路１０６の構成を示す。カメラプリプロセス回路１０５から入力された映像信号は、信号処理回路１０６ａで処理された後、電子ズーム手段としてのデジタルズーム回路１０６ｂに入力され、ここで電気的に拡大縮小処理を受ける。具体的には、デジタルズーム回路１０６ｂは、フレームメモリ１０７から原画像（映像信号）を読み出す。次に、システムコントローラ１０８によって指定された電子ズーム倍率に応じた画素ライン数（以下、メモリ切り出しライン数という）の領域を原画像から切り出し、該切り出した画像を記録又は表示用の所定画素数の画像に拡大又は縮小する。これにより、原画像に対する電子的な変倍である電子ズーム（動作）が行われる。
【００２０】
拡大縮小処理された映像信号は、表示ブロックに転送され、ＬＣＤパネルやＥＶＦ（電子ビューファインダ）に表示される。また、該映像信号は、図１に示す記録再生部１０９にも転送され、半導体メモリ、光ディスク、磁気テープ等の記録媒体に記録される。記録再生部１０９は、記録媒体に記録された映像信号を読み出して、表示ブロックに表示させる機能も有する。
【００２１】
フレームメモリ１０７は、カメラ信号処理回路１０６で使用するための画像データを一時的に保持するために使用される。
【００２２】
システムコントローラ１０８は、制御手段として、ビデオカメラの動作全体を制御する。ズームスイッチ１１０は、使用者によって操作され、ズーム動作（光学ズーム動作及び電子ズーム動作）を指示する信号を出力する。システムコントローラ１０８は、ズームスイッチ１１０からの信号に応じて、光学ズーム倍率（又は変倍レンズ１０１ａの位置）やデジタルズーム回路１０６ｂに対して指定する電子ズーム倍率（又はメモリ切り出しライン数）を決定する。そして、これらの情報を、光学系１０１（変倍レンズ１０１ａ及びアクチュエータ１０１ｃ）やデジタルズーム回路１０６ｂに送信し、光学ズーム動作及び電子ズーム動作を制御する。
【００２３】
図３には、システムコントローラ１０８によってズーム制御が行われる場合の光学ズーム倍率とメモリ切り出しライン数との関係を示している。図中の実線及び左側の縦軸はメモリ切り出しライン数を、点線及び右側の縦軸は光学ズーム倍率を示している。メモリ切り出しライン数が少ないほど、電子ズーム倍率は高くなる。横軸は、変倍レンズ１０１ａの位置であり、図には光学ズーム位置と記す。
【００２４】
実際のズーム制御では、システムコントローラ１０８は、図４に示す光学ズーム位置とメモリ切り出しライン数との関係を示したテーブルデータを参照し、不図示のレンズ位置検出器によって検出した光学ズーム位置に対応するメモリ切り出しライン数を決定する。ただし、テーブルデータを用いずに、光学ズーム位置をパラメータとした演算式を用いてメモリ切り出しライン数を算出してもよい。
【００２５】
図３において、ワイド端Ｗから光学ズーム位置Ｄまでの間のズーム領域（以下、ワイド側ズーム領域）では、メモリ切り出しライン数（つまりは電子ズーム倍率）は一定値に固定された状態で、光学ズーム動作による変倍が行われる。すなわち、このワイド側ズーム領域では、電子ズーム動作は行われず、光学ズーム動作のみが行われる。
【００２６】
光学ズーム位置Ｄから、Ｅを超えて隣接する制御上のテレ端Ｔまで（テレ端側）の間のズーム領域（第１のズーム領域：以下、テレ側ズーム領域という）では、光学ズーム動作に伴って電子ズーム動作が行われる。すなわち、変倍レンズ１０１ａが移動して光学ズーム倍率が増加することに応じて、メモリ切り出しライン数を徐々に減らして電子ズーム倍率を増加させる。すなわち、光学ズーム動作に伴って電子ズーム動作を行う光学／電子合成ズーム制御が行われる。
【００２７】
ただし、光学ズーム位置Ｅから制御上のテレ端Ｔまでの間のズーム領域（第１のズーム領域内の第２のズーム領域：以下、テレ端近傍ズーム領域という）では、以下のようにメモリ切り出しライン数を制御する。
【００２８】
テレ端近傍ズーム領域では、光学ズーム倍率の増加に応じたメモリ切り出しライン数の減少率を、テレ側ズーム領域内でのテレ端近傍ズーム領域以外のズーム領域（以下、ズーム領域Ｄ−Ｅという）でのメモリ切り出しライン数の減少率よりも小さくする。言い換えれば、テレ端近傍ズーム領域では、光学ズーム動作に伴う電子ズーム動作での電子ズーム倍率の変化率を、ズーム領域Ｄ−Ｅでの電子ズーム倍率の変化率よりも小さくする。さらに言えば、テレ端近傍ズーム領域では、電子ズーム倍率がほとんど変化しないように設定する。ズーム領域Ｄ−Ｅは、第１のズーム領域内の第２のズーム領域以外のズーム領域に相当する。
【００２９】
システムコントローラ１０８は、温度センサ１０２を通じて検出したレンズ鏡筒部１２０の温度が所定値よりも高く、変倍レンズ１０１ａがテレ端に位置する場合には、テレ端近傍ズーム領域内で変倍レンズ１０１ａをワイド側に移動させる。すなわち、レンズ鏡筒部１２０の温度が第１の温度（所定値）よりも高い第２の温度である場合は、変倍レンズ１０１ａをテレ端からワイド側に移動させる。
【００３０】
これは、温度上昇によってレンズ鏡筒部１２０が光軸方向に伸び、光学系１０１の制御上のテレ端での実質の焦点距離が長くなる現象を考慮したものである。したがって、制御上は同じテレ端への制御であっても、焦点距離としては長くなってしまう。このように焦点距離が長くなることに起因してフォーカス制御が追いつかない。そうした事態を防ぐために、温度上昇に伴って制御上のテレ端をワイド側に移動させること（温度に応じた温度ズーム補正動作）で、ピントがずれることを防止するための動作である。
【００３１】
このように、テレ端近傍ズーム領域は、光学／電子合成ズーム制御が行われるズーム領域であるとともに、温度ズーム補正のために変倍レンズ１０１ａが移動する領域でもある。
【００３２】
そして、テレ端近傍ズーム領域での電子ズーム倍率の変化率を小さくすることで、温度ズーム補正のために変倍レンズ１０１ａがテレ端からワイド側に移動しても電子ズーム倍率は大きく変化せず、画角の変化を目立たなくすることができる。ここにいう画角とは、記録再生部１０９にて記録媒体に記録される画像や、表示ブロックにて表示される画像の画角を意味する。
【００３３】
なお、変倍レンズ１０１ａがワイド側に移動したことによる画角の変化は、レンズ鏡筒部１２０自体が伸びて画角がテレ側に変化することで相殺される。このため、電子ズーム倍率の変化を抑えることで、画角の変化を小さくすることができる。
【００３４】
図４には、システムコントローラ１０８のズーム制御のフローチャートを示している。この制御は、システムコントローラ１０８内に格納されたコンピュータプログラムに従って実行される。
【００３５】
ステップ（図では、Ｓと略記する）３００から制御が始まると、システムコントローラ１０８は、ステップ３０１において光学ズーム位置（変倍レンズ１０１ａの位置）がテレ端か否かを判別する。光学ズーム位置がテレ端である場合はステップ３０２に進み、テレ端でなければステップ３０５に進む。
【００３６】
ステップ３０２では、システムコントローラ１０８は、温度センサ１０２を通じて検出したレンズ鏡筒部１２０の温度（以下、鏡筒温度という）が第１の温度である所定値よりも高いか（第２の温度か）否かを判別する。鏡筒温度が所定値よりも高ければステップ３０３に進み、全域フォーカスが可能なワイド側の光学ズーム位置まで変倍レンズ１０１ａを移動させる。このとき、電子ズームもワイド側に動作するが、図３に示したテレ端近傍ズーム領域において設定された電子ズーム倍率（メモリ切り出しライン数）の変化率は小さいので、画角の変化は目立たない。そして、ステップ３０４に進む。
【００３７】
ステップ３０４では、システムコントローラ１０８は、オートフォーカス（ＡＦ）によって光学系１０１内のフォーカスレンズ１０１ｂを移動させてピント補正を行う。これにより、テレ端での温度ズーム補正が完了する。そして、ステップ３０７に進む。また、鏡筒温度が所定値よりも低ければ、ステップ３０３，３０４をスキップしてステップ３０７に進む。
【００３８】
一方、ステップ３０５では、システムコントローラ１０８は、温度センサ１０２を通じて検出した鏡筒温度が所定値よりも高いか否かを判別する。鏡筒温度が所定値よりも高ければステップ３０６に進み、ＡＦによって光学系１０１内のフォーカスレンズ１０１ｂを移動させてピント補正を行う。これにより、テレ端以外での温度ズーム補正が完了する。そして、ステップ３０７に進む。また、鏡筒温度が所定値よりも低ければ、ステップ３０６をスキップしてステップ３０７に進む。
【００３９】
ステップ３０７では、システムコントローラ１０８は、現在の光学ズーム位置が図３に示した光学ズーム位置Ｄよりもテレ側であるか否か、つまりはテレ側ズーム領域内にあるか否かを確認する。テレ側ズーム領域内にある場合はステップ３０８に進み、テレ側ズーム領域内にない場合（ワイド側ズーム領域内にある場合）はステップ３０９に進む。
【００４０】
ステップ３０８では、システムコントローラ１０８は、前述したテーブルデータから現在の光学ズーム位置に対応したメモリ切り出しライン数を読み出す。この後、光学ズーム動作が行われるのに伴って、読み出したメモリ切り出しライン数に応じた電子ズーム動作を行う。そしてステップ３０９に進み、処理を終了する。
【００４１】
ステップ３０９では、システムコントローラ１０８は、光学ズーム位置にかかわらずメモリ切り出しライン数を所定値（図３に示す９６０本）に固定する。この後、光学ズーム動作が行われても、電子ズーム動作は行わない（電子ズーム倍率を固定したままとする）。その後、ステップ３０９に進み、処理を終了する。
【００４２】
図５Ａ及び図５Ｂには、本実施例のビデオカメラにて行われる温度ズーム補正時のズーム動作を説明する図である。これらの図において、「８９０パルス」とは、ワイド端又は所定の基準位置から図３に示す光学ズーム位置Ｅまで変倍レンズ１０１ａを駆動するためにアクチュエータ（ステッピングモータ）１０１ｃに入力される駆動信号のパルス数を示す。テレ端は「９００パルス」に相当する位置である。また、「４８０」〜「４８４」の制御値は、電子ズーム動作におけるメモリ切り出しライン数に相当する。
【００４３】
温度センサ１０２により検出された鏡筒温度が所定値より高い高温である場合、温度ズーム補正のために、それまでテレ端に位置していた変倍レンズ１０１ａを１０パルス分ワイド側に移動させる。このとき、図５Ａに示す制御の場合では、メモリ切り出しライン数が「４８０」から「４８３」へと増加し、これに対応して電子ズーム倍率が減少する。したがって、画角の変化が目立つ。
【００４４】
これに対し、図５Ｂに示す本実施例のビデオカメラでは、メモリ切り出しライン数が「４８０」から変化しない。この場合は、電子ズーム動作が行われないことと等価である。より高温の鏡筒温度が検出されて変倍レンズ１０１ａが１５パルス分ワイド側に移動したとしても、メモリ切り出しライン数は「４８０」から「４８１」に増加するに過ぎない。このように、本実施例では、温度ズーム補正のために変倍レンズ１０１ａがワイド側に移動しても、電子ズーム倍率は変化しないか、わずかに変化するに過ぎない。したがって、画角の変化は目立たない。
【００４５】
以上説明したように、本実施例によれば、光学／電子合成ズーム機能を有するビデオカメラにおいて、温度ズーム補正のために変倍レンズ１０１ａをワイド側に移動させても電子ズーム倍率がほとんど変化しない。このため、温度ズーム補正時に画角が大きく変化して目立つことを回避することができる。
【実施例２】
【００４６】
実施例１では、温度ズーム補正を行うか否かにかかわらす、テレ端近傍ズーム領域での電子ズーム倍率（メモリ切り出しライン数）の変化率を、テレ側ズーム領域内のテレ端近傍ズーム領域以外のズーム領域Ｄ−Ｅでの電子ズーム倍率の変化率よりも小さくした。しかし、テレ端近傍ズーム領域での電子ズーム倍率の変化率を、温度ズーム補正を行うか否かによって切り換えてもよい。
【００４７】
これについて、図７を用いて説明する。図７には、図３と同様に、システムコントローラ１０８によってズーム制御が行われる場合の光学ズーム倍率とメモリ切り出しライン数との関係を示している。
【００４８】
温度ズーム補正を行わない場合には、テレ端近傍ズーム領域での変倍レンズ１０１ａの移動に伴うメモリ切り出しライン数の変化率を、図に一点鎖線で示すように、ズーム領域Ｄ−Ｅでのメモリ切り出しライン数の変化率と同じに設定する。一方、温度ズーム補正を行う場合には、テレ端近傍ズーム領域での変倍レンズ１０１ａの移動に伴うメモリ切り出しライン数の変化率を、図に実線で示すように、ズーム領域Ｄ−Ｅでのメモリ切り出しライン数の変化率よりも小さくする。
【００４９】
つまり、テレ端近傍ズーム領域での変倍レンズ１０１ａの移動に伴う電子ズーム倍率の変化率を、温度ズーム補正を行わない場合はズーム領域Ｄ−Ｅでの電子ズーム倍率の変化率と同じとし、温度ズーム補正を行う場合はそれよりも小さくなるように切り換える。
【００５０】
このような電子ズーム倍率の変化率の切り換えを行う場合でも、光学／電子合成ズーム機能を有するビデオカメラにおいて、温度ズーム補正のために変倍レンズ１０１ａをワイド側に移動させても電子ズーム倍率がほとんど変化しない。このため、温度ズーム補正時に画角が大きく変化して目立つことを回避することができる。
【００５１】
本実施例でのシステムコントローラ１０８の動作の流れは、実施例１（図４）で示したものと基本的に同じであるので、ここでの説明は省略する。
【００５２】
以上説明した実施例は代表的な例にすぎず、本発明の実施に際しては、該実施例に対して種々の変形や変更が可能である。
【００５３】
例えば、上記実施例においては、温度ズーム補正を行うか否かといった二者択一的なものとして説明した。この点、温度上昇に伴い、電子ズーム倍率を徐々に減少するようにしてもよい。温度上昇に伴う鏡筒の変形（伸長）は、線形的な変形であり、その線形性に合わせたものである。この場合、温度検出手段により検出された温度に応じて光学ズーム手段におけるテレ端をワイド側に移動させ、第２の温度での電子ズーム手段のズーム倍率の変化率を、それより低い第１の温度でのズーム倍率の変化率よりも小さくすることになる。
【００５４】
なお、上記各実施例では、ビデオカメラについて説明したが、本発明は、デジタルスチルカメラ等の他の撮像装置にも適用することができる。
【図面の簡単な説明】
【００５５】
【図１】本発明の実施例１であるビデオカメラの構成を示すブロック図。
【図２】実施例１のビデオカメラにおけるカメラ信号処理回路の構成を示すブロック図。
【図３】実施例１のビデオカメラにおける光学ズーム倍率と電子ズーム倍率（メモリ切り出しライン数）との関係を示す図。
【図４】実施例１のビデオカメラの動作を示すフローチャート。
【図５Ａ】実施例にビデオカメラにおける温度ズーム補正時の変倍レンズの移動と電子ズーム制御値との関係を示す図。
【図５Ｂ】実施例１のビデオカメラにおける温度ズーム補正時の変倍レンズの移動と電子ズーム制御値との関係を示す図。
【図６】従来のビデオカメラにおける光学ズーム倍率と電子ズーム倍率（メモリ切り出しライン数）との関係を示す図。
【図７】本発明の実施例２であるビデオカメラにおける光学ズーム倍率と電子ズーム倍率（メモリ切り出しライン数）との関係を示す図。
【符号の説明】
【００５６】
１０１  光学系
１０１ａ  変倍レンズ
１０１ｂ  フォーカスレンズ
１０２  温度センサ
１０４  撮像素子
１０５  カメラプリプロセス回路
１０６  カメラ信号処理回路
１０７  フレームメモリ
１０８  システムコントローラ
１０９  記録再生部
１１０  ズームスイッチ
【図１】
0005089372.tif 000002
【図２】
0005089372.tif 000003
【図３】
0005089372.tif 000004
【図４】
0005089372.tif 000005
【図５Ａ】
0005089372.tif 000006
【図５Ｂ】
0005089372.tif 000007
【図６】
0005089372.tif 000008
【図７】
0005089372.tif 000009